(57)【要約】【課題】キャリッジの固定や解除を行うときの操作を簡単に行うことができ、しかも、不用意に操作レバーを動かしてしまうことがない画像読取装置を提供する。【解決手段】画像読み取りのため原稿載置面に沿って移動可能なキャリッジ３ａ，３ｅと、キャリッジ３ａ，３ｅの移動をロックするためのロック部材７と、キャリッジ３ａ，３ｅが内部に収容されるフレーム部材１０１，１０２と、を備え、ロック部材７は、フレーム部材１０１の外側に位置する操作部７０と、フレーム部材１０１の内側に位置すると共に、キャリッジ３ａ，３ｅに設けられた切欠部３００ａ，３１０ａに対して係合可能なロック部７１と、ロック部７１を切欠部３００ａ，３１０ａに対するロック位置とロック解除位置との間で回転して移動できるように支持するための回転軸７２と、を有し、回転軸７２が水平方向に設定されている。【選択図】図４Ｂ
2011070113.tif 000002
【特許請求の範囲】
【請求項１】
画像読み取りのため原稿載置面に沿って移動可能なキャリッジと、キャリッジの移動をロックするためのロック部材と、前記キャリッジが内部に収容されるフレーム部材と、を備えた画像読取装置であって、
前記ロック部材は、
前記フレーム部材の外側に位置する操作部と、
前記フレーム部材の内側に位置すると共に、前記キャリッジに設けられた被係合部に対して係合可能なロック部と、
前記ロック部を前記被係合部に対するロック位置とロック解除位置との間で回転して移動できるように支持するための回転軸と、を有し、前記回転軸が水平方向に設定されていることを特徴とする画像読取装置。
【請求項２】
前記ロック部が前記ロック解除位置にあるとき、前記操作部は、前記フレーム部材に形成された凹部内の空間に収容された状態になることを特徴とする請求項１に記載の画像読取装置。
【請求項３】
前記フレーム部材は、前記キャリッジの下面側に設けられており、さらに、前記フレーム部材の下部に、読み取られた原稿画像が印刷された用紙が排出される排出部が配置され、前記操作部は、前記排出部に面していることを特徴とする請求項１又は２に記載の画像読取装置。
【請求項４】
前記ロック部材は、複数設けられることを特徴とする請求項１〜３のいずれか１項に記載の画像読取装置。
【請求項５】
前記ロック部材は、少なくとも前記操作部と前記ロック部が樹脂で一体成型されていることを特徴とする請求項１〜４のいずれか１項に記載の画像読取装置。
【請求項６】
前記ロック部が前記ロック位置にあるとき、前記操作部は前記凹部から突出した状態になることを特徴とする請求項２に記載の画像読取装置。
【請求項７】
前記ロック部材を前記ロック位置と前記ロック解除位置に夫々保持するためのクリック機構が設けられていることを特徴とする請求項１〜６のいずれか１項に記載の画像読取装置。
【請求項８】
前記クリック機構は、前記回転軸に対して半径方向に延びる腕部に形成されたクリック突起と、クリック突起が挿脱可能な穴部により構成されることを特徴とする請求項７に記載の画像読取装置。
【発明の詳細な説明】
【技術分野】
【０００１】
本発明は、画像読み取りのため原稿載置面に沿って移動可能なキャリッジと、キャリッジの移動をロックするためのロック部材と、前記キャリッジが内部に収容されるフレーム部材と、を備えた画像読取装置に関するものである。
【背景技術】
【０００２】
複写機やファクシミリ装置等の画像形成装置（デジタル複合機）と組み合わせて設けられる画像読取装置においては、原稿をセットするプラテン（原稿載置面）の下面に沿ってスキャナー装置が配置される。このスキャナー装置は、光源としてのランプ、複数のミラー、結像レンズ、ＣＣＤ等の読み取りセンサー等により構成されている。読み取りの副走査方向に沿って移動可能なキャリッジを備えており、前記ランプ、複数のミラー等が搭載される。キャリッジを副走査方向に沿って移動させることで、プラテンに載置された原稿の画像を読み取ることができる。
【０００３】
かかるキャリッジは、画像形成装置を輸送するときに、不用意に動いてしまわないように固定しておく必要がある。そのための固定機構について、例えば、下記特許文献１，２に開示されたものが公知である。
【０００４】
特許文献１は、スキャナーの保持構造に関し、スキャナー装置を底部フレームに対して固定するロック装置を開示する。具体的には、スキャナー装置の下面に係合爪部材を突出させて設けると共に、底部フレームにロック部材を設ける。係合爪部材は垂直部分と水平部分とからなり、ロック部材に設けられた溝に上記垂直部分が係合される。この状態でロック部材を底部フレームに止めネジで固定する。
【０００５】
特許文献２は、キャリッジの固定装置に関し、キャリッジに係合溝が設けられ、操作レバーを回転すれば、操作レバーの係合突起が上記係合溝に嵌まり込むことで固定する。操作レバーは、スキャナケースの上面の正面側に設けられており、その回転軸は垂直に設定されている。
【先行技術文献】
【特許文献】
【０００６】
【特許文献１】特開２００１−２２８５６１号公報
【特許文献２】特開２００７−７９３７５号公報
【発明の概要】
【発明が解決しようとする課題】
【０００７】
上記公知技術には次のような課題がある。特許文献１は、ロック部材を止めネジで固定する構成であるから、固定するときと解除時のいずれにおいても煩雑な作業が必要である。一方、特許文献２は、操作レバーを回転する操作によるものであるから、固定や解除は簡単に行うことができる。しかし、操作レバーは上面の正面側にあり、不用意に操作レバーを動かしてしまう可能性がある。特に、回転軸が垂直に設定されており、操作レバーの状態が固定状態か解除状態であるかを一見して識別しにくいという問題がある。
【０００８】
本発明は上記実情に鑑みてなされたものであり、その課題は、キャリッジの固定や解除を行うときの操作を簡単に行うことができ、しかも、不用意に操作レバーを動かしてしまうことがない画像読取装置を提供することである。
【課題を解決するための手段】
【０００９】
上記課題を解決するため本発明に係る画像読取装置は、
画像読み取りのため原稿載置面に沿って移動可能なキャリッジと、キャリッジの移動をロックするためのロック部材と、前記キャリッジが内部に収容されるフレーム部材と、を備えた画像読取装置であって、
前記ロック部材は、前記フレーム部材の外側に位置する操作部と、前記フレーム部材の内側に位置すると共に、前記キャリッジに設けられた被係合部に対して係合可能なロック部と、前記ロック部を前記被係合部に対するロック位置とロック解除位置との間で回転して移動できるように支持するための回転軸と、を有し、前記回転軸が水平方向に設定されていることを特徴とするものである。
【００１０】
かかる構成による画像読取装置の作用および効果を説明する。画像読取装置を輸送する場合には、キャリッジをロック部材によりロックする。ロック部材は、操作部とロック部を備えており、操作部を回転することで、ロック部をロック位置とロック解除位置とに切り換えることができる。このように、操作部を回転するだけであるから、ロック操作と解除操作を容易に行うことができる。また、ロック部材を回転させるための回転軸が水平方向に設定されている。これにより、ロック位置とロック解除位置とで、操作部が表面から突出した状態と収容された状態とに切り換えることも容易になる。したがって、一見してキャリッジを固定した状態であるか否かを容易に確認することができる。その結果、キャリッジの固定や解除を行うときの操作を簡単に行うことができ、不用意に操作レバーを動かしてしまうこともなくすことができる。
【００１１】
本発明において、前記ロック部が前記ロック解除位置にあるとき、前記操作部は、前記フレーム部材に形成された凹部内の空間に収容された状態になることが好ましい。
【００１２】
画像読取装置が所定の場所に設置されたときは、ロック部をロック解除位置に切り換える。これにより、キャリッジが移動可能になり、画像の読み取りが可能になる。ロック解除位置にあるとき、操作部はフレーム部材に形成された凹部内の空間に収容された状態であるから、不用意に操作部に触れてしまうことがない。これにより、不用意に操作レバーを動かしてしまうことがなくなる。
【００１３】
本発明において、前記フレーム部材は、前記キャリッジの下面側に設けられており、さらに、前記フレーム部材の下部に、読み取られた原稿画像が印刷された用紙が排出される排出部が配置され、前記操作部は、前記排出部に面していることが好ましい。
【００１４】
この構成によると、操作部は、キャリッジの下側に配置されるので、外観的に目立たない位置に配置される。したがって、不用意に操作レバーを動かすことを確実になくすことができる。また、操作部は、用紙が排出される排出部に面しているので、ロック操作や解除操作を行うための空間部を確保することができ、操作を容易に行うことができる。このように、操作性の改善と、不用意な操作の抑制という相反する要求を簡単な構成により実現することができる。
【００１５】
本発明において、前記ロック部材は、複数設けられることが好ましい。ロック部材を複数設けることで、より確実にキャリッジを固定することができる。
【００１６】
本発明において、前記ロック部材は、少なくとも前記操作部と前記ロック部が樹脂で一体成型されていることが好ましい。一体成型で形成することで、部品点数を削減し構成も簡素化することができる。
【００１７】
本発明において、前記ロック部が前記ロック位置にあるとき、前記操作部は前記凹部から突出した状態になることが好ましい。
【００１８】
凹部から突出させた状態にすることで、キャリッジがロックされていることを視覚的に容易に確認することができる。
【００１９】
本発明において、前記ロック部材を前記ロック位置と前記ロック解除位置に夫々保持するためのクリック機構が設けられていることが好ましい。
【００２０】
これにより、ロック位置とロック解除位置の夫々の位置でロック部材をその位置に確実に保持することができる。また、輸送中に不用意にロック状態が解除されてしまう不具合を防止することができる。
【００２１】
本発明において、前記クリック機構は、前記回転軸に対して半径方向に延びる腕部に形成されたクリック突起と、クリック突起が挿脱可能な穴部により構成されることが好ましい。
【００２２】
かかる腕部を形成することで、ロック部材に腕部を一体形成することが可能になる。また、腕部の撓み変形を利用して適度なクリック感触を出すことができる。
【図面の簡単な説明】
【００２３】
【図１】本発明の一実施形態に係る画像形成装置の内部構成を示した概略断面図である。
【図２】画像読取部の内部構成を示す模式図
【図３Ａ】ロック機構の構成を示す側断面図（ロック解除状態）
【図３Ｂ】ロック機構の構成を示す側断面図（ロック状態）
【図４Ａ】ロック機構の構成を示す斜視図（ロック解除状態）
【図４Ｂ】ロック機構の構成を示す斜視図（ロック状態）
【図５Ａ】ロック機構を内部からみた斜視図（ロック解除状態）
【図５Ｂ】ロック機構を内部からみた斜視図（ロック状態）
【図６】ロック機構の操作部を下方から見た外観斜視図
【図７】ロック部材の構成を示す斜視図
【発明を実施するための形態】
【００２４】
本発明に係る画像読取装置の好適な実施形態を図面を用いて説明する。図１は、本発明の一実施形態に係る画像読取装置１を備えた画像形成装置の内部構成を示した概略断面図である。この画像形成装置は、原稿供給装置（ＡＤＦ）２、原稿読取部３、画像形成部４及び給紙部５を備えた複写機（デジタル複合機）である。
【００２５】
＜画像形成装置の内部構成＞
ＡＤＦ２は、原稿トレイ２ａを備えており、当該原稿トレイ２ａ上に１枚の原稿を置き、又は、２枚以上の原稿を積層した状態で置くことができるようになっている。ＡＤＦ２は、ピックアップローラ２ｂ及び分離部（分離ローラとリタードローラの対）２ｃにより、原稿トレイ２ａ上に置かれた原稿を１枚ずつ送り出す。ＡＤＦ２により送り出された原稿は、複数の搬送ローラ２ｄ、２ｅ、２ｆにより搬送路２ｇを搬送され、当該搬送路２ｇの途中で画像が読み取られた後、排出ローラ２ｈにより原稿排出トレイ２ｉ上に順次排出される。
【００２６】
原稿読取部３（フラットベッドスキャナー）は、原稿の画像を読み取るための第１キャリッジ（走査部）３ａと第２キャリッジ（ミラーユニット）３ｅを備えている。ＡＤＦ２により原稿読取部３に供給される原稿を読み取る際には、第１キャリッジ３ａと第２キャリッジ３ｅが静止読取領域３ｂにおいて静止した状態で、搬送路２ｇの途中に位置する読取ポイントにおいて原稿の画像を読み取る。この画像読取装置１では、原稿読取部３の上方に設けられたガラス板（原稿載置面に相当）３ｄ上に原稿を載置することにより、第１キャリッジ３ａと第２キャリッジ３ｅを移動読取領域３ｃで移動させながら原稿の画像を読み取ることもできる。なお、原稿の画像面は、原稿トレイ２ａ上で上側の面、又は、ガラス板３ｄ上で下側の面を向くように載置する。
【００２７】
上記の第１キャリッジ３ａと第２キャリッジ３ｅは、それぞれ不図示のモーター-により駆動されるベルトに連結されており、モーターの回転に伴い、水平方向に移動する。
【００２８】
画像形成部４は、感光体ドラム４ａ、帯電器４ｂ、光書込みユニット４ｃ、現像器４ｄ、転写器４ｅ及び定着器４ｆを備え、電子写真方式により記録紙Ｐに画像を形成する。感光体ドラム４ａの表面には感光体が形成されており、画像形成時には、回転駆動される感光体ドラム４ａの表面が帯電器４ｂにより一様に帯電される。光書込みユニット４ｃは、走査部３ａで読み取った原稿の画像情報などに基づいて、ＬＥＤ(Light-Emitting Diode)又はレーザ光源から光を出力する。帯電器４ｂにより一様に帯電された感光体ドラム４ａの表面には、光書込みユニット４ｃから出力される光で露光されることにより、静電潜像が形成される。
【００２９】
静電潜像が形成された感光体ドラム４ａの表面には、現像器４ｄから供給されるトナーが付着することによりトナー像が形成され、このトナー像が転写器４ｅを用いて記録紙Ｐに転写される。トナー像が転写された記録紙Ｐは、定着器４ｆにより加熱処理及び加圧処理が施された後、排出ローラ４ｇから排出トレイ４ｈ（排出部に相当）上に排出される。排出トレイ４ｈの上部は、用紙排出空間部Ｓとして機能し、排出された記録紙Ｐを取り出しやすくするための空間を形成している。
【００３０】
給紙部５は、記録紙Ｐを収容するための記録紙カセット６を備えており、この記録紙カセット６内に設けられた支持板９上に、記録紙Ｐを積層した状態で収容することができるようになっている。支持板９は、その一端部に設けられた支軸９ａを中心に回転可能となっており、支軸９ａ側とは反対側の端部が圧縮ばね９ｂによって上方へ付勢されることにより、最上部の記録紙Ｐが給紙ローラ９ｃに対して押圧される。この状態で給紙ローラ９ｃが回転駆動されることにより、記録紙カセット６内に収容されている記録紙Ｐが、給紙ローラ９ｃと分離パッド（図示せず）によりそれぞれ分離されて搬送路１２に１枚ずつ送り出される。
【００３１】
搬送路１２には、１つ又は複数の搬送ローラ１３が設けられている。記録紙カセット６から１枚ずつ送り出される記録紙Ｐは、搬送ローラ１３により搬送路１２内を搬送され、画像形成部４へと送られる。そして、レジストローラ１４により記録紙Ｐは感光体ドラム４ａの直前で一旦停止され、感光体ドラム４ａに形成されるトナー像を転写させるタイミングに合わせて送り出される。
【００３２】
上記のような原稿読取部３、画像形成部４及び給紙部５は、筺体１ａ内に収容されており、当該筺体１ａの上面に上記ガラス板３ｄが形成されている。ＡＤＦ２は、筺体１ａの上面に対して上下に開閉可能に取り付けられている。したがって、ガラス板３ｄ上に置かれた原稿を走査部３ａで読み取る場合には、ＡＤＦ２を閉じることにより、当該ＡＤＦ２とガラス板３ｄとの間に原稿を挟むことができるようになっている。
【００３３】
＜画像読取部の構成＞
図２により原稿の画像情報を読み取るための機構を説明する。ケース本体１００の上部には、ガラス板３ｄが左右方向にわたって設けられ、原稿１２０がセットされる。ガラス板３ｄの左側は、絶縁板３１で遮蔽されている。
【００３４】
第１キャリッジ３ａは、光源３２と反射ミラー３３ａを備えており、副走査方向（図面の左右方向）に沿って定速で移動可能に構成されている。光源３２からの照射光は、原稿面に導かれる。原稿面からの反射光は、反射ミラー３３ａを介して、第２キャリッジ３ｅへと導かれる。
【００３５】
第２キャリッジ３ｅも副走査方向に沿って定速で移動可能に構成されており、２つの反射ミラー３４ａ，３４ｂを備えている。反射光は、ＣＣＤラインセンサー３５（画像読取センサーに相当）へと導かれる。ＣＣＤラインセンサー３５は、主走査方向（画像形成装置の前後方向）に沿って多数のセンサーアレイを備えている。なお、画像読取センサーは、ＣＣＤでなくてもよく、例えば、ＣＭＯＳであってもよい。
【００３６】
光源３２の光が原稿面を照射し、その反射光が反射ミラー３３ａで反射して、さらに、２つの反射ミラー３４ａ，３４ｂを経由して、ＣＣＤラインセンサー３５に到達する。これにより、原稿１２０の主走査方向における画像情報（１ライン分）を読み取ることができる。なお、第１キャリッジ３ａは第２キャリッジ３ｅの２倍の速度で２倍の距離を副走査方向に移動する。これにより、原稿からＣＣＤラインセンサー３５までの光路長を一定に保持する。
【００３７】
第１キャリッジ３ａと第２キャリッジ３ｅは、それぞれ不図示のモーターにより駆動されるベルトに連結されている。モーターを回転させることで、それぞれのキャリッジ３ａ，３ｅを副走査方向に移動させることができる。
【００３８】
キャリッジ３ａ，３ｅは、ケース本体１００の内部に収容されている。ケース本体１００は、少なくとも、キャリッジ３ａ，３ｅの下側に位置する水平姿勢の第１フレーム部材１０１と、キャリッジ３ａ，３ｅの左側方に位置する垂直姿勢の第２フレーム部材１０２を備えている。第１フレーム部材１０１と第２フレーム部材１０２は、別部材で構成してもよいし、一体の部材で構成してもよい。第１フレーム部材１０１と第２フレーム部材１０２は、金属製のプレートで作成してもよいし、樹脂成形で作成してもよい。第１フレーム部材１０１の下側には排出トレイ４ｈが位置し、両者の間の空間が用紙排出空間部Ｓに相当する。
【００３９】
キャリッジ３ａ，３ｅは、画像情報の読み取りのために副走査方向に移動させる必要があるが、画像形成装置を輸送するときには、動かないように固定させる必要がある。輸送で移動するときに、キャリッジ３ａ，３ｅに衝撃等が加わり、キャリッジ３ａ，３ｅ内の部品が破損する可能性があるからである。また、衝撃等が加わることで、キャリッジ３ａ，３ｅの図略の駆動ベルトとの固定位置がずれ、読み取りの光路がずれてしまう可能性もあるからである。そこで、輸送中はキャリッジ３ａ，３ｅが移動しないように固定するためのロック部材が設けられている。
【００４０】
＜キャリッジのロック機構の構成＞
次に、キャリッジ３ａ，３ｅを固定するためのロック機構について説明する。図２に示すように、本体ケース１００の内部の左端にロック機構を構成するロック部材７が配置される。ロック部材７は、水平方向に設定された回転軸芯７ａ周りに回転可能に支持されている。ロック部材７の操作部７０は、第１フレーム部材１０１の外側に位置する。ロック部材７のロック部７１は第１フレーム部材１０１の内側に位置する。
【００４１】
図３は、図２のＤ−Ｄ断面図であり、左の側面側から見たロック機構の構成を示す図である。図３Ａはロック解除状態を示し、図３Ｂはロック状態を示す。図４は、左の側面側から見たロック機構の構成を示す斜視図である。図４Ａはロック解除状態を示し、図４Ｂはロック状態を示す。図５は、本体フレーム１００の内部から見たロック機構の構成を示し、図５Ａはロック解除状態を示し、図５Ｂはロック状態を示す。図６は、ロック部材７の操作部７０を下側から見た図である。図７は、ロック部材の形状を示す斜視図である。
【００４２】
図７に示すように、ロック部材７は、全体が樹脂（他に、金属でもよい）により一体成型され、一つの部品により構成される。ロック部材７は、操作部７０とロック部７１を備えている。操作部７０は、組み立てられたとき、第１フレーム部材１０１の下側（外側）に位置する。ロック部７１は、組み立てられたとき、第１フレーム部材１０１の内側（内部）に位置する。
【００４３】
ロック部７１は、最も先端に第１ロック爪７１ａを有し、その内側に第２ロック爪７１ｂを有する。第２ロック爪７１ｂの中央部には、リブ７１ｃが形成されている。リブ７１ｃは、第１ロック爪７１ａに面した位置に形成される。ロック本体部７１ｄは、所定の強度を有するように形成され、その先端部に、第１ロック爪７１ａと第２ロック爪７１ｂが一体的に成型される。
【００４４】
前述のように、ロック部材７は、水平方向に設定される回転軸芯７ａの周りに回転可能に組み立てられる。この回転軸芯７ａに対応して回転軸７２が設けられ、この回転軸７２に対して操作部７０とロック部７１が一体的に形成される。
【００４５】
回転軸７２の端部には、半径方向に延びる腕部７３が一体成型される。腕部７３の先端には、クリック機構を構成するクリック突起７３ａが形成される。クリック突起７３ａは、ほぼ円錐台状の突起として形成される。円錐台の先端は、ドーム状に形成される。回転軸７２の両端部には、嵌合部７２ａ，７２ｂが設けられる。
【００４６】
図７に示すロック部材７は、操作部７０を手で操作することで、キャリッジ３ａ，３ｅを固定するロック位置と、キャリッジ３ａ，３ｅの固定を解除するロック解除位置の間を切り換え可能にする。画像形成装置を輸送するときは、ロック部材７をロック位置にしてキャリッジ３ａ，３ｅが不用意に動かないように固定する。画像形成装置を所定の場所に設置して使用するときは、キャリッジ３ａ，３ｅが移動できるようにロック部材７をロック解除位置にする。
【００４７】
図３Ａ，図４Ａに示すように、ロック解除位置において、ロック部材７は全体的に水平姿勢となっている。このとき、操作部７０は、第１フレーム部材１０１に形成された凹部１０１ａに収容された状態になっている。収容された状態では、操作部７０は、第１フレーム部材１０１の表面から突出しない。したがって、画像形成装置を使用するユーザーが不用意に操作部７０に触れてしまうことがない。特に、図示するようにカバーシート８をかぶせることで、より確実に操作部７０にユーザーが触れることを防止することができる。ロック部材７は、画像形成装置を使用している時は、操作する必要がないので、カバーシート８をかぶせておいても問題はない。カバーシート８は、両面テープや粘着剤等により第１フレーム部材１０１の表面に貼り付けることができる。
【００４８】
図３Ｂ，図４Ｂは、ロック部材７をロック位置にした状態である。図４に示すように、キャリッジ３ａ，３ｅを構成する部材として、第１支持プレート３００と第２支持プレート３１０が設けられている。第１支持プレート３００は、第１キャリッジ３ａに設けられており、第２支持プレート３１０は、第２キャリッジ３ｅに設けられている。
【００４９】
第１支持プレート３００には、被係合部として機能する切欠部３００ａが２か所設けられている。同様に、第２支持プレート３１０にも、被係合部として機能する切欠部３１０ａが２か所設けられている。２箇所の被係合部に対応してロック部材７も２つ設けられている。ロック部材７は、画像形成装置の前後方向に２か所並べて配置されている。ロック部材７の配置個数は、２つに限定されるものではなく、１つでもよいし、３つ以上配置してもよい。ロック部材７を複数設けることで、より確実にキャリッジ３ａ，３ｅを固定させることができる。
【００５０】
図示するように、ロック部材７の第１ロック爪７１ａは、上側の第１支持プレート３００に係合し、第２ロック爪７１ｂは、下側の第２支持プレート３１０に係合する。各切欠部３００ａ、３１０ａの大きさは、ロック部材７のロック部７１の移動軌跡に干渉しない程度の大きさに設定すればよい。
【００５１】
図３Ｂに示すように、ロック位置において、ロック部材７は垂直姿勢になり、操作部７０は、凹部１０１ａから突出した状態になる。すなわち、操作部７０は、第１フレーム部材１０１の表面から突出した状態になる。このように、ロック位置とロック解除位置で操作部７０の突出量が異なるように設定されるので、ロック状態か否かを容易に視認することができる。
【００５２】
図６は、第１フレーム部材１０１の下側から、ロック部材７を見た斜視図である。第１フレーム部材１０１の下側は、画像形成装置を使用するときは、見えにくい位置にあるので、ユーザーが不用意にロック部材７を操作してしまうことはない。前述のようにカバーシート８を設けることで、より確実にユーザーによる誤操作を防止することができる。ただし、操作部７１が突出しているか否かの確認は容易に行うことができる。また、操作部７１は、前述のように、排出トレイ４ｈの上部、すなわち、用紙排出空間部Ｓに面しているので、ロック部材７を操作するときは、簡単な操作で行うことができる。
【００５３】
図５により、ロック部材７を保持するためのクリック機構について説明する。ロック部材７の回転軸７２の一端部にある嵌合部７２ｂは、第１フレーム部材１０１に一体形成された軸受穴１０１ｂに嵌合される。第１フレーム部材１０１の凹部１０１ａを形成するために、立壁１０１ｃが形成され、この立壁１０１ｃに軸受穴１０１ｂが形成される。また、回転軸７２の他端部にある嵌合部７２ａも第２フレーム部材１０２に形成された軸受穴（不図示）に嵌合される。これにより、ロック部材７は回転軸７２の両端部が確実に支持され、操作性を確保している。
【００５４】
ロック部材７の腕部７３に形成されたクリック突起７３ａ（図７参照）が嵌合するクリック穴１０２ａ，１０２ｂが第２フレーム部材１０２に形成されている。ロック部材７をロック位置で保持するためのクリック穴１０２ｂと、ロック解除位置で保持するためのクリック穴１０２ａが形成される。クリック突起７３ａの形状に対応して、クリック穴１０２ａ，１０２ｂにも円錐台状のテーパが形成され、無理な力を要することなくクリック穴１０２ａ，１０２ｂからの脱出を可能にしている。腕部７３は片持ち梁として形成されるので、弾性変形しやすく、ロック部材７の操作の感触を向上させている。
【００５５】
画像形成装置を輸送するときは、キャリッジ３ａ，３ｅが不用意に動くことを防止するために、ロック部材７をロック位置にセットする（図３Ｂ，図４Ｂ，図５Ｂ）。画像形成装置を所定の場所に設置した後、ロック部材７をロック解除位置に移動させる（図３Ａ，図４Ａ，図５Ａ）。これにより、キャリッジ３ａ，３ｅが移動可能な状態になる。ロック部材７をロック解除位置に移動させた後、第１フレーム部材１０１の凹部１０１ａにカバーシート８を貼り付ける。これにより、外観側からロック部材７の操作部７０が見えなくなり、操作部７０を誤操作することを防止することができる。
【００５６】
＜別実施形態＞
本実施形態において、ロック部材７の回転方向は、図３に示す側面から見れば時計方向であるが、これを反時計方向になるように構成してもよい。
【００５７】
本実施形態において、２キャリッジ方式の原稿読取部３を説明したが、これに限定されるものではない。例えば、ＣＣＤ（Charge Coupled Devices）またはＣＩＳ（Contact Image Sensor）を１つのキャリッジに搭載して構成した原稿読取部の場合にも、本発明に係るロック機構を鄭要することができる。
【符号の説明】
【００５８】
３ａ      第１キャリッジ
３ｅ      第２キャリッジ
７        ロック部材
７ａ      回転軸芯
８        カバーシート
７０      操作部
７１      ロック部（係合部）
７２      回転軸
７３      腕部
７３ａ    クリック突起
１０１    第１フレーム部材
１０１ａ  凹部
１０２    第２フレーム部材
１０２ａ，１０２ｂ      クリック穴
３００    第１支持プレート
３００ａ  切欠部（被係合部）
３１０    第２支持プレート
３１０ａ  切欠部（被係合部）
Ｓ        用紙排出空間部
【図１】
2011070113.tif 000003
【図２】
2011070113.tif 000004
【図３Ａ】
2011070113.tif 000005
【図３Ｂ】
2011070113.tif 000006
【図４Ａ】
2011070113.tif 000007
【図４Ｂ】
2011070113.tif 000008
【図５Ａ】
2011070113.tif 000009
【図５Ｂ】
2011070113.tif 000010
【図６】
2011070113.tif 000011
【図７】
2011070113.tif 000012